(57)【要約】【課題】  ２方向に突出部分を有する特異な物品の梱包を無理なく行う。【解決手段】  一対の支持枠１２ｕ，１２ｄと弾性フィルム６との組合せを有している。支持枠１２は、一面が開放された箱形であり、前壁３ａの立ち上り高さは後壁３ｂの立ち上り高さより高く、両側壁３ｃ，３ｃは、前壁３ａの上縁から後壁３ｂの上縁に向けて下傾している。前記ベースボード２の板面に開口を有し、弾性フィルム６がその開口縁に取付けられている。対の支持枠１２ｕ，１２ｄは、ベースボード２の面を向き合わせて上下段に組合わされ、上段の支持枠１２ｕの前壁３ａと下段の支持枠１２ｄの前壁３ａ及び上段の支持枠１２ｕの後壁３ｂと下段の支持枠１２ｄの後壁３ｂとを同一面上に揃えて重ねられ、物品１３をそれぞれのベースボード２に張られた弾性フィルム６間に物品を挟み、外箱１４内に収納する。【選択図】  図４
2013112347.tif 000002
【特許請求の範囲】
【請求項１】
一対の支持枠と弾性フィルムとの組合せからなる物品運送用梱包具であって、
支持枠は、中央領域に開口を有する方形のベースボードとその四周壁とを有する箱形であり、一面が開放され、
四周壁の前壁の立ち上り高さは相対的に後壁の立ち上り高さより高く、
両側壁は、前壁の上縁から後壁の上縁に向けて下傾しており、
前記弾性フィルムは、前記ベースボードの開口縁に取付けられ、開口を覆って物品を支えるものであり、
対の支持枠は、ベースボードの面を互いに向き合わせて上下段に組み合わされ、かつ上段の支持枠の前壁と下段の支持枠の前壁及び上段の支持枠の後壁と下段の支持枠の後壁とを同一面上に揃えて重ねられるものであり、
上下段の支持枠は、それぞれのベースボードに張られた弾性フィルム間に物品を挟み、四周壁を外箱の内面に沿わせて外箱内に収納されるものであることを特徴する物品運送用梱包具。
【請求項２】
前記支持枠の前壁の立ち上り高さをＨ１、後壁の立ち上り高さをＨ２としたときに、両支持枠のベースボードに張られた弾性フィルム間に物品を挟んだ状態で、両支持枠の前壁は上下に付き合わされ、後壁間は２×（Ｈ１−Ｈ２）の間隔に保たれて立上り高さが２Ｈ１の外箱内に収納されるものであることを特徴とする請求項１に記載の物品運送用梱包具。
【請求項３】
一対の支持枠と弾性フィルムとの組合せからなる物品運送用梱包具であって、
支持枠は、中央領域に開口を有する方形のベースボードとその四周壁とを有する箱形であり、一面が開放され、
四周壁の前壁の立ち上り高さは相対的に後壁の立ち上り高さより高く、
両側壁は、前壁の上縁から後壁の上縁に向けて下傾しており、
前記弾性フィルムは、前記ベースボードの開口縁に取付けられ、開口を覆って物品を支えるものであり、
対の支持枠は、ベースボードの面を互いに向き合わせて上下段に組み合わされ、かつ上段の支持枠の前壁と下段の支持枠の後壁及び上段の支持枠の後壁と下段の支持枠の前壁とを同一面上に揃えて重ねられるものであり、
上下段の支持枠は、それぞれのベースボードに張られた弾性フィルム間に物品を挟み、四周壁を外箱の内面に沿わせて外箱内に収納されるものであることを特徴する物品運送用梱包具。
【発明の詳細な説明】
【技術分野】
【０００１】
本発明はデスクトップパソコンの脚付きディスプレイ、あるいは脚付き薄型テレビのような２方向突出した部分を有する特異な形状の物品を格納して運搬する物品運送用梱包具、特に宅配便に好適な物品運送用梱包具に関する。
【背景技術】
【０００２】
従来より、物品の輸送用梱包具として例えば、図８に示すように板面の中央開口２１をしなやかで伸縮性を有するフィルム２２で覆った固いフレーム２３、２３の対を用い、対のフレーム２３、２３間に物品をはさみ、これを外箱２４内に収め、物品２５を衝撃から保護する梱包具が知られている（特許文献１参照）。
【０００３】
上記梱包具によるときには、対のフレーム２３、２３にダンボール紙を用い、その四周縁を予め板面に付された折曲線２６に沿って個別に折り返し、その連結部分をフィルム２２による物品２５のサポート部分２７とし、両フレーム２３、２３間に物品２５を挟んで図９に示すようにこれを外箱２４内に収納することによって物品２５を梱包するものであり、梱包された物品２５は、フレーム２３の四周に形成されるサポート部分２７の高さに相当する位置で外箱２４の底部２８及び蓋部２９から距離を置いて外箱２４内に収納され、外箱２４の上下から加えられるかもしれない衝撃から物品２５を有効に保護することができる。
【０００４】
物品２５の梱包に際しては、フレーム２３の四周にサポート部分２７を有する平板状の２枚の基材ボード３０，３０と、組立て式の外箱２４とを作業現場に持ち込み、現場で基材ボード３０を折曲して中央のフレーム２３の四周にサポート部分２７を有する支持枠に組み立て、対の支持枠間に物品を挟んで外箱内に収納されるのである。
【０００５】
ところで、特許文献１に記載の梱包具では、図８を見て分かるように、フレーム２３の開口２１を覆うフィルム２２は、フレーム２３の折曲線２６を越えてその外縁が四周のサポート部分２７に跨って接着されているため、折曲線２６に沿ってサポート部分２７を折り返したときに、連結部分にフィルム２２の復元力が作用して元の平面に戻ろうとするという問題がある。
【０００６】
このため、作業者は、各辺の連結部分が平面に戻らないようにサポート部分２７を抑えながら、梱包具を一定の立体形状に保形して両手を使って物品２５の収納作業を行わなければならず、実際には、その梱包作業は必ずしも簡単ではなかった。
【０００７】
本願出願人においては、基材ボードを折曲線に沿ってサポート部分に折り返したときに、フィルムの復元力がサポート部分に作用しても、サポート部分は折り返した状態に保たれるようにした物品運送用梱包具（特許文献２参照）を開発することによって上記の問題点を解決し、従来のようにサポート部分が平面に戻らないように手で抑えながら作業を行う必要がなく、厚みが比較的均一な物品や立体であってもその凹凸の程度が小さい物品の収納作業を容易に行うことができるようになった。
【０００８】
ところで、宅配業務で扱われる物品は、ノートパソコンのような直方体やタンブラーのような比較的小型で凹凸の程度が小さい単純な立体形状の物品に限らない。例えばデスクトップパソコンや薄型テレビのような物品は前後に大きく突出した平板状の台脚が取り付けられている。したがってこのような形状が不規則で比較的大型物品を特許文献１に記載の物品運送用梱包具に梱包しようとしてもディスプレイの前後方向に台脚が大きく張出し、フィルムがその張出し長さに耐えられないときには破損して梱包できない。
【０００９】
たとえ、台脚の張出し長さにフィルムの弾性が耐えることができたとしても対のベースボード間に強い反発力が作用するため、対の支持枠間に物品を挟んで外箱内に収納する作業は難しい。
【先行技術文献】
【特許文献】
【００１０】
【特許文献１】ＵＳＰ４，８５２，７４３号明細書
【特許文献２】特開２００８−２６０５５９号公報
【発明の概要】
【発明が解決しようとする課題】
【００１１】
解決しようとする問題点は、互いに直角方向に２方向に突出した部分を有する特異な形状の物品、例えばデスクトップパソコンや薄型テレビのようにディスプレイの底に前後に大きく突出した平板状の台脚が取り付けられているような物品を特許文献１に記載の物品運送用梱包具に梱包しようとしてもディスプレイの前後方向に台脚が大きく張出し、フィルムがその張出し長さに耐えられないときには破損して梱包できず、たとえ、台脚の張出し長さにフィルムの弾性が耐えることができたとしても対のベースボード間に強い反発力が作用するため、対のベースボード間に物品を挟んで外箱内に収納する作業が難しいという点である。
【課題を解決するための手段】
【００１２】
本発明は、デスクトップパソコンや薄型テレビのように本体部分に対し、角度をなして大きく張出した突出部分を有する物品の梱包を無理なく行うことができるようにした点を最も主要な特徴とする。
【発明の効果】
【００１３】
本発明によれば、一対の支持枠を上段と、下段とに使い分け、例えばデスクトップパソコンや薄型テレビのように本体部分に対し角度をなして前後に大きく張出した台脚のような突出部分を有する物品や断面が直角三角形状の物品などを梱包する場合に、物品の突出部分を下段の支持枠の立上り高さが相対的に低い後壁側に向けてベースボードに張られた弾性フィルム上に載せ、上段側の支持枠は、立上り高さの低い後壁側を物品の突出部分に向けて下段の支持枠上に重ねて両支持枠の立上り高さが高い前壁同士を付き合わせ、両支持枠の両後壁を開いた状態で本体部分に対して直角方向に突出部分を有する物品を対の支持枠の弾性フィルム間で支えた状態で、弾性フィルムに無理を生じさせることなく外箱内に収納することができる。
【００１４】
また、本体部分だけで突出部分のない物品を収納するときには、一方の支持枠の前壁に他方の支持枠の後壁を付き合せて２つの支持枠を上下に重ねることによって、両支持枠のベースボードの弾性フィルム間に物品を支え、支持枠の前壁の高さと、後壁の高さとを加算した深さの外箱内に収納することができる。本発明によれば、前壁と後壁との高さが異なり、前壁から後壁にかけて傾斜する両側壁を有する１種類の支持枠を準備しておけば、これを上下に使い分けて使用することができる。
【図面の簡単な説明】
【００１５】
【図１】本発明の梱包具に組立てるベースボードを示すもので、（ａ）は、フィルムを貼り付けた側から見たベースボードの平面図、（ｂ）は（ａ）のＡ−Ａ線断面図である。
【図２】（ａ）〜（ｅ）は、ベースボードを梱包具の支持枠に組立てる手順を示す図である。
【図３】支持枠の各前壁同士を同一面上に揃えた状態に位置あわせをして支持枠のベースボードの面を互いに向き合わせて上下段に配置した状態を示す斜視図である。
【図４】本体部分に角度をなして大きく張出した突出部分を有する物品を梱包する例を示す断面図である。
【図５】支持枠の上段の支持枠の前壁と下段の支持枠の後壁とを同一平面上に保たせた状態で支持枠のベースボードの面を互いに向き合わせて上下段に配置した状態を示す斜視図である。
【図６】大きな突出部分のない物品を梱包する例を示す断面図である。
【図７】（ａ）は、前壁がストッパによって折り曲げ姿勢に保持されている状態を示す梱包具の要部の平面図、（ｂ）は（ａ）のＢ−Ｂ線断面図である。
【図８】従来の梱包具による物品の梱包要領を示す図である。
【図９】従来の梱包具を用いて外箱内に物品を格納した状態を示す図である。
【発明を実施するための形態】
【００１６】
デスクトップパソコンや薄型テレビのような本体部分に角度をなして２方向に大きく張り出した突出部分を有する物品を梱包するという目的を前壁と後壁との立上り高さが異なり、前壁から後壁にかけて傾斜する両側壁を有する１種類の支持枠を１対として用いることによって解決した。
【実施例１】
【００１７】
本発明による物品運送用梱包具は、ベースボードの開口部にフィルムを張渡した対の支持枠を梱包具の内装材とし、両支持枠間に、デスクトップパソコンや薄型テレビのように本体部分に対し角度をなして前後に大きく張り出した台脚のような突出部分を有する物品を挟んでこれを外箱内に収容するものである。
【００１８】
本発明は、ウレタン樹脂などの伸縮性に優れたフィルムを開口部に張渡したダンボール紙製の２枚の基材ボードを用い、この基材ボードを折曲加工して組立てるものである。またフィルムには透明フィルムを用いることによって物品を透視することができる。しかし、物品を梱包する機能からみれば、フィルムの透明、不透明は問題ではない。
【００１９】
図１に本発明の梱包具を構成する組立体に組立てるベースボードを示す。図１において、基材ボード１は段ボール紙である。紙面を中央領域のベースボード２の部分と、ベースボード２の四周壁を構成する前壁３ａ及び後壁３ｂ及び両側壁３ｃ，３ｃとに区画されている。この実施例においては基材ボード１に長方形の段ボール紙を用いている。
【００２０】
ベースボード２には、周縁にフレーム部分を残してその中央に開口５が形成され、該開口５は、図２（ａ）に示すようにベースボード２の裏面にあてがわれた透明なポリウレタンフィルムなどの伸縮性，弾性に優れたフィルム６によって覆われ、フィルム６の外縁はベースボード２の前壁折曲線４ａ、後壁折曲線４ｂ、両側壁折曲線４ｃ，４ｃをまたいで、ベースボード２の板面に熱溶着によって接着されている。もっとも、弾性フィルム６の接着は必ずしも熱溶着に限らず、接着剤あるいは接着テープを用いてベースボード２に接着されてもよい。
【００２１】
前壁折曲線４ａと両側壁折曲線４ｃおよび後壁折曲線４ｂと両側壁折曲線４ｃとがそれぞれ交差するベースボード１の四隅については、基材ボード１の端縁から前壁折曲線４ａに向けて前壁折曲線４ａにまで達する切込み７ａおよび後壁折曲線４ｂにまで達する切込み７ｂが付され、四隅を両側壁の形成部分から切り離し、前壁３ａに連なる連結部分３ｄ、後壁３ｂに連なる連結部分３ｅを形成する。
【００２２】
連結部分３ｄ，３ｅには、それぞれ前壁３ａと側壁３ｃおよび後壁３ｂと側壁３ｃとを連結する手段として連結部分３ｄ，３ｅの端縁から一定の深さに切り欠いて台形の嵌合溝８が形成され、この嵌合溝８の位置に対応して各側壁３ｃ，３ｃには、その端縁から間隔が狭まる方向に一定深さに切り込んでこの嵌合溝８に嵌り合う舌状部９が形成されている。
【００２３】
さらに、ベースボード２の中央領域のフレーム部分と、フレームの四周の前後壁及び両側壁（３ａ，３ｂ及び３ｃ，３ｃ）とに区画する各折曲線４ａ，４ｂ，４ｃには、サポート部分を支えるストッパ１０を形成している。ストッパ１０は、図７に示すように前壁，後壁，両側壁の各折曲線に適宜切込みを付すことによって形成される舌端であり、ベースボード２の面に対して直角に折り曲げたときに、各折曲線の隙間内に張出し、前壁，後壁，両側壁の基端を支えるためのものである。
【００２４】
本発明においては、前壁３ａの立上り高さ（折曲線４ａから前壁の外端縁までの距離）Ｈ１を後壁３ｂの立上り高さ（折曲線４ｂから後壁の外端縁までの距離）Ｈ２よりも相対的に高く設定し、両側壁３ｃ，３ｃの上縁を前壁３ａ側から後壁３に向けて下傾させ、その立上り高さをＨ１からＨ２に直線状に変化させたものである。
【００２５】
次に本発明の梱包具を用いて物品を梱包する要領を説明する。本発明の梱包具は、対の支持枠を上下段に組み合わせることによって構成するものである。支持枠は、基材ボードの組立体である。以下にその組立要領を説明する。図２（ａ）において、弾性フィルムを貼付けた面を裏側として基材ボード１を平面上に置き、まず、図２（ｂ）のようにベースボード２の前壁３ａと後壁３ｂを折曲線４ａ，４ｂで同方向に折曲して直角に起立させる。前壁３ａ及び後壁３ｂを起立させることによって、その両端の連結部分３ｄ，３ｅも前壁３ａ及び後壁３ｂと一体に起立する。
【００２６】
前壁３ａ及び後壁３ｂをベースボード２に対して直角に起立させると、ベースボード２に張付けられた弾性フィルム６の弾性が前壁３ａおよび後壁３ｂに作用し、これを平板に戻そうとする力が働くが、折曲線４ａ，４ｂ上に開口される隙間内にストッパ１０が張出し、段ボール紙の紙面と、その有する弾性作用によって、隙間内に臨む前壁３ａ及び後壁３ｂの端縁を支え、前壁３ａ及び後壁３ｂを折り曲げ姿勢のままにとどまる。
【００２７】
ついで、図２（ｃ）のように、前壁３ａ及び後壁３ｂの両端の連結部分３ｄ，３ｄ及び３ｅ、３ｅをそれぞれ直角に向き合わせに折り返す。さらに、図２（ｄ）に示すように折曲線４ｃで両側壁３ｃを直角に折り返し、その内面を連結部分３ｄおよび３ｅの外面に重ね合せる。この場合にも、前記同様に、折曲線４ｃ上に開口される隙間内にストッパ１０が張出して隙間内に臨む後壁３ｂの基端を支えてこれを折り曲げ姿勢のままに支える。
【００２８】
次いで、図２（ｅ）に示すように、連結部分３ｄおよび３ｅの嵌合溝８の位置に対応して設けられた舌状部９を後壁３ｂの板面につながる基部を軸として嵌合溝８の台形の開口内にほぼ水平姿勢に倒し、舌状部９の両側縁を嵌合溝８の内壁で支え、斜面の楔作用で舌状部９を嵌合溝８に保持させ、後壁３ｂを連結部分３ｅを介して側壁３ｃに連結する。
【００２９】
これによって組立てられた支持枠１２は、立上り高さＨ１の前壁３ａと、立上り高さＨ２の後壁３ｂ（但しＨ２＜Ｈ１）と、前壁３ａの高さＨ１から後壁３ｂの高さＨ２にかけて傾斜した両側壁３ｃ、３ｃとの四周壁によって囲まれた上面開放の箱型に組み立てられる。
【００３０】
上記操作によって、デスクトップパソコンや薄型テレビのように厚さの薄い本体部分１３ｍに対し角度をなして前後に大きく張出した台脚のような突出部分１３ｐを有する収納物品１３を梱包するときには、組立てられた２個の支持枠１２ｕ，１２ｄを上下段に用いる。
【００３１】
梱包に際しては、図３に示すように支持枠１２ｕ，１２ｄの各前壁３ａ，３ａ同士を同一面上に揃えた状態（従って後壁３ｂ，３ｂ同士も同一面上に揃えられることになる）に位置あわせをして支持枠１２ｕ，１２ｄのベースボード２の面を互いに向き合わせて上下段に配置し、この間に収納物品１３を支えるものである。その際、図４に示すように収納物品１３の突出部分１３ｐを立上り高さの低い後壁３ｂ側に、厚さの薄い本体部分を立上り高さが高い前壁３ａ側に位置するように収納物品１３の位置決めをして下段支持枠１２ｄのベースボード２に張渡されたフィルム６の面に収納物品１３を置く。
【００３２】
次いでその上方から上段支持枠１２ｕを収納物品１３上に押し下げ、両ベースボード２，２のフィルム６，６間に収納物品１３をはさみ、上段支持枠１２ｕの前壁３ａを下段支持枠１２ｄの前壁３ａ上に重ねて、これを外箱１４内に格納し、外箱１４を蓋１５で施蓋する。
【００３３】
外箱１４内では対の支持枠１２ｕ，１２ｄの前壁３ａ，３ａ同士は上下につき合わされ、支持枠１２ｕ，１２ｄの後壁３ｂ，３ｂ間は、図４に示すように２×（Ｈ１−Ｈ２）の間隔に開いた状態で外箱の内壁に支えられる。この状態で外箱１４を施蓋した蓋１５を粘着テープで封止し、梱包を完了する。外箱１４には、深さ２Ｈ１の箱を用いることにより、物品を挟んだ上下段の支持枠１２ｕ，１２ｄは、外箱１４の蓋１５で支えられ、収納物品１３は、両ベースボード２，２のフィルム６，６の弾性変形によって安定に支えられる。
【００３４】
本発明は、デスクトップパソコンや薄型テレビのように厚さの薄い本体部分１３ｍに対し角度をなして前後に大きく張出した台脚のような突出部分１３ｐを有する収納物品１３の梱包具であるが、特に大きな突出部分のない物品の梱包にも用いるときには、図５に示すように上段の支持枠１２ｕの前壁３ａと下段の支持枠１２ｄの後壁３ｂとを同一平面上に、従って上側の支持枠１２ｕの後壁３ｂと下側の支持枠１２ｄの前壁３ａとを同一平面に保たせた状態で２つの支持枠を上下に重ねることによって、図６に示すように両支持枠１２ｕ，１２ｄのベースボードの弾性フィルム間に収納物品１３を傾斜姿勢で支え、外箱１４には支持枠の前壁３ａの立上り高さＨ１と、後壁３ｂの立上り高さＨ２とを加算した深さの箱を用いて安定に収納することができる。
【００３５】
なお、支持枠の前壁、後壁および両側壁の区別は専ら説明の都合上の区別であり、要するに箱型の支持枠の四周壁の内、対向する２面の一方の壁の立上り高さＨ１が相対的に高く、他方の壁の立上り高さＨ２が相対的に低く、直角方向の２面の壁の高さは、Ｈ１からＨ２にかけて傾斜しているということである。
【００３６】
また、実施例においては、デスクトップパソコンや薄型テレビのような本体部分に角度をなして大きく張出した突出部分を有する物品を梱包する場合の例を説明しているが、断面が直角三角形のように長さ方向に立上り高さが大きく異なる形状の物品の梱包にも適用することができる。
【産業上の利用可能性】
【００３７】
本発明による梱包具は、物品の宅配用梱包具として活用するだけにとどまらず、特に破損しやすい物品の輸送用、保管用の梱包具として広く利用することができる。
【符号の説明】
【００３８】
１  基材ボード、２  ベースボード、３ａ  前壁、３ｂ  後壁、３ｃ  側壁、３ｄ，３ｅ  連結部分、４ａ  前壁折曲線、４ｂ  後壁折曲線、４ｃ  側壁折曲線、５  開口、６  弾性フィルム、７ａ，７ｂ  切込み、８  嵌合溝、９  舌状部、１０  ストッパ、１２，１２ｕ，１２ｄ  支持枠、１３  収納物品、１３ｍ  本体部分、１３ｐ  突出部分、１４  外箱、１５  蓋
【図１】
2013112347.tif 000003
【図２】
2013112347.tif 000004
【図３】
2013112347.tif 000005
【図４】
2013112347.tif 000006
【図５】
2013112347.tif 000007
【図６】
2013112347.tif 000008
【図７】
2013112347.tif 000009
【図８】
2013112347.tif 000010
【図９】
2013112347.tif 000011